(57)【要約】【課題】  インク受容層を有する記録媒体の記録面を重ね合わせた場合に白もやの発生を抑制することができるインクジェット記録方法及びインクジェット記録装置を提供すること。【解決手段】  インクジェット方式の記録ヘッドからインクを吐出してインク受容層を有する記録媒体に画像を形成する画像形成工程を有するインクジェット記録方法であって、更に、前記画像を形成した記録媒体を乾燥させる乾燥工程を有し、前記画像形成工程で用いる前記インクが、有機概念図論における有機性値と無機性値の和が４２０以上である直鎖飽和脂肪族多価アルコールを含有するインクであることを特徴とするインクジェット記録方法。【選択図】  図２
2012166378.tif 000002
【特許請求の範囲】
【請求項１】
インクジェット方式の記録ヘッドからインクを吐出してインク受容層を有する記録媒体に画像を形成する画像形成工程を有するインクジェット記録方法であって、
更に、前記画像を形成した記録媒体を乾燥させる乾燥工程を有し、
前記画像形成工程で用いる前記インクが、有機概念図論における有機性値と無機性値の和が４２０以上である直鎖飽和脂肪族多価アルコールを含有するインクであることを特徴とするインクジェット記録方法。
【請求項２】
前記インク中の前記直鎖飽和脂肪族多価アルコールの含有量（質量％）が、インク全質量を基準として、５．０質量％以上２５．０質量％以下である請求項１に記載のインクジェット記録方法。
【請求項３】
前記直鎖飽和脂肪族多価アルコールの前記有機概念図論における有機性値と無機性値の和が７２０以下である請求項１又は２に記載のインクジェット記録方法。
【請求項４】
前記直鎖飽和脂肪族多価アルコールが、ヘキサントリオール、ヘプタントリオール、キシリトール、ソルビトールから選択される少なくとも１種である請求項１乃至３の何れか１項に記載のインクジェット記録方法。
【請求項５】
前記乾燥工程が、前記画像を形成した記録媒体に温度５０℃以上の温風を２秒以上吹き付けることで行われる請求項１乃至４の何れか１項に記載のインクジェット記録方法。
【請求項６】
インクを収容するためのインク収容部、インクェジット方式の記録ヘッドからインクを吐出してインク受容層を有する記録媒体に画像を形成するための画像形成部を有するインクジェット記録装置であって、
更に、前記画像を形成した記録媒体を乾燥させるための手段を有し、
前記インク収容部に収容されたインクが、有機概念図論における有機性値と無機性値の和が４２０以上である直鎖飽和脂肪族多価アルコールを含有することを特徴とするインクジェット記録装置。
【発明の詳細な説明】
【技術分野】
【０００１】
本発明はインクジェット記録方法及びインクジェット記録装置に関する。
【背景技術】
【０００２】
インクジェット記録方法により得られる画像の高画質化により、画像の出力形態が銀塩方式からインクジェット方式へと急激にシフトしている。このような状況のもとで、インクジェット記録方法には出力速度の高速化が強く求められている。これに伴い、インクの乾燥速度向上への要求も高まっており、その向上を図るための提案が数多くなされている。例えば、インクにより画像を形成した後、記録媒体を加熱ローラや赤外ヒータにより乾燥させることに関する提案がある（特許文献１及び２）。
【０００３】
また、吐出安定性などのインクの信頼性や普通紙におけるカール抑制などにおいても、出力速度の高速化に伴い、より厳しいレベルの性能を満足することが要求されるようになっている。そのような課題に対しては、インク中に多価アルコールを含有するインクが提案されている（特許文献３及び４）。特許文献３には、インク中に多価金属塩と炭素数４以上の糖アルコールから選択される物質を含有させることで、吐出安定性を改善できることが開示されている。特許文献４には、インク中に、炭素数が４以上でヒドロキシ基を３つ以上有する化合物、又は、炭素数が７以上でヒドロキシ基を２つ有する化合物を含有させることで、記録中及び記録後の記録媒体のカールを緩和、抑制できることが開示されている。
【先行技術文献】
【特許文献】
【０００４】
【特許文献１】特開２０００−１０３０４４号公報
【特許文献２】特開２００１−２７００８９号公報
【特許文献３】特開２００５−３５０５７７号公報
【特許文献４】特開２００４−２０９７５８号公報
【発明の概要】
【発明が解決しようとする課題】
【０００５】
更に、近年では、記録物を製本し、アルバムなどの形態とした、いわゆるフォトブックが急速に普及している。そして、インクジェット記録方法により形成した画像を用いて、フォトブックを作製する機会も多くなってきている。
しかし、インクジェット記録方法による記録物の場合、記録面を内側にして記録媒体を折り曲げたり、また、複数の記録媒体の記録面が重なり合うようにしたりして、製本を行うと、以下に述べるような新たな課題が発生することが分かった。即ち、記録媒体のインク受容層の面が重なり合うような状態で記録物をしばらく保存すると、一方の記録媒体に、他方の画像の形状をした白いもや状のムラが生じた。以下、本明細書においては、このような状況で生じる現象を「白もや」と述べる。この白もやは、重なり合う２つの記録面の両方に画像が形成されている場合に特に顕著に確認される。しかし、重なり合う２つの記録面の少なくとも一方に画像が形成されていれば、他方の記録面における前記の画像と重なり合う領域には画像が形成されていない場合であってもわずかには確認される。
したがって、本発明の目的は、インク受容層を有する記録媒体の記録面を重ね合わせた場合に白もやの発生を抑制することができるインクジェット記録方法を提供することにある。また、本発明の別の目的は、上記の顕著な効果が得られるインクジェット記録装置を提供することにある。
【課題を解決するための手段】
【０００６】
上記の目的は以下の本発明によって達成される。即ち、本発明にかかるインクジェット記録方法は、インクジェット方式の記録ヘッドからインクを吐出してインク受容層を有する記録媒体に画像を形成する画像形成工程を有するインクジェット記録方法であって、更に、前記画像を形成した記録媒体を乾燥させる乾燥工程を有し、前記インクが、有機概念図論における有機性値と無機性値の和が４２０以上である直鎖飽和脂肪族多価アルコールを含有することを特徴とする。
【発明の効果】
【０００７】
本発明によれば、インク受容層を有する記録媒体の記録面を重ね合わせた場合に白もやの発生を抑制することができるインクジェット記録方法を提供することができる。また、本発明の別の実施形態によれば、上記の顕著な効果が得られるインクジェット記録装置を提供することができる。
【図面の簡単な説明】
【０００８】
【図１】白もやが生じる画像の一例を説明するための模式図である。
【図２】インクジェット記録装置の全体構成を示す断面図である。
【発明を実施するための形態】
【０００９】
以下、好適な実施の形態を挙げて、本発明を詳細に説明する。本発明のインクジェット記録方法は、インクジェット方式の記録ヘッドからインクを吐出してインク受容層を有する記録媒体に画像を形成する画像形成工程を有するインクジェット記録方法であって、更に、前記画像を形成した記録媒体を乾燥させる乾燥工程を有し、前記インクが、有機概念図論における有機性値と無機性値の和が４２０以上である直鎖飽和脂肪族多価アルコールを含有することを特徴とする。
【００１０】
［白もやの発生メカニズム］
先ず、インク受容層を有する記録媒体の記録面を重ね合わせた場合に発生する白もやという現象について説明する。ここでは、理解を容易にするため、白もやが特に顕著に生じる場合を例に挙げる。図１（Ａ）のように、ブラックの画像ａが全体的に形成された記録媒体ａの記録面ａ、ブラックの画像ｂが一部の領域に形成された記録媒体ｂの記録面ｂを重ね合わせ、しばらく放置する。すると、図１（Ｂ）のように、記録媒体ａにおける画像ａの領域内に、記録媒体ｂにおける画像ｂの形状をした白いもや状のムラが生じる。尚、図示しないが、図１（Ｂ）の記録媒体ｂにも、記録媒体ａにおける画像ａの形状をした白いもや状のムラが生じるが、記録媒体ｂの画像ｂが形成されていない領域であるので、白もやの程度は、記録媒体ａにおける白もやと比べるとはるかに軽微である。
【００１１】
本発明者らは、上記で説明したような白もやが発生する原因を解析した。その結果、以下のようなメカニズムにより白もやが生じていることを突き止めた。インクジェット記録方法に用いるインクは一般に、色材の他に、液体成分（水や、水溶性有機化合物）などを含有する。インク受容層を有する記録媒体にこのインクを用いて画像を形成すると、インクに含まれていた液体成分は、画像形成後の記録媒体の表面上にインクが存在しなくなった時点でも蒸発し切らず、インク受容層の内部に僅かに残留する。その後、インク受容層の内部に残留していた液体成分は、時間の経過とともに徐々に蒸発していくが、液体成分が蒸発し終わるまでにはかなりの時間を要する。通常、画像形成後にフォトブックを作製するような場合、液体成分が残留している状態で記録媒体の記録面を重ね合わせることになる。
【００１２】
このとき、記録面が重ね合わせられているため、一方の記録媒体のインク受容層内部に残留している液体成分は、他方の記録媒体のインク受容層に移動する場合がある。この移動の程度や量は、インク受容層内部に存在する液体成分の量に依存する。したがって、記録媒体に形成された画像の領域において、インク種やその付与量が異なると、インク受容層中に残留する液体成分の量も不均一となるため、記録面を重ね合わせた場合、液体成分の移動量も不均一となる。その結果、記録媒体の領域によって、インク受容層内部に存在する液体成分の量が不均一となるため、インク受容層のヘイズ（にごり）が領域によって異なるようになり、これが白もやとして認識されるのである。尚、白もやが発生するような場合であっても、その領域には他方の画像の色は転写されていなかったため、色材の移動は生じないと言える。
【００１３】
このメカニズムに基づいて、先の具体例において生じている現象をより詳細に説明する。図１（Ａ）の記録媒体ｂにおける、画像ｂが形成されていない領域のインク受容層にはインク由来の液体成分が存在しない。このため、記録面ａ及びｂを重ね合わせても、上記領域では記録媒体ｂからａへの液体成分の移動は生じない。一方、図１（Ａ）の記録媒体ｂにおける、画像ｂが形成された領域のインク受容層にはインク由来の液体成分が残留している。このため、記録面ａ及びｂを重ね合わせると、記録媒体ｂからａへの液体成分の移動が生じ、記録媒体ｂの画像領域と非画像領域にそれぞれ対応する位置の記録媒体ａにおける領域では、インク受容層内部に存在する液体成分の量が異なるようになる。その結果、インク受容層のヘイズも異なるようになるので、図１（Ｂ）のように、記録媒体ａにおいて、記録媒体ｂにおける画像ｂの形状をした白もやが認識されるようになる。
【００１４】
［本発明に至った経緯］
そこで、本発明者らは、インク受容層の内部に残留する液体成分の量を減少させれば白もやの発生を抑制できると考え、特許文献１や２を参考に、画像を形成した後に、該画像を形成した記録媒体を乾燥させることを試みた。この手法により白もやの発生はある程度は抑制され、また、乾燥の際のエネルギー量を高めればその抑制の程度も高まる方向となることは分かったものの、相当量のエネルギーを与えても依然として不十分であった。
【００１５】
本発明者らは、液体成分がインク受容層の内部に残留したとしても、記録媒体間での液体成分の移動を抑制し得る成分についての検討を行ったところ、樹脂などの高分子化合物を使用することで白もやの発生がやや抑制できることが分かった。しかし、このような高分子化合物を含有するインクは、吐出安定性が十分に得られない場合があった。
【００１６】
そこで、本発明者らはインクに使用する化合物に着目し、種々の水溶性有機化合物について、インクの吐出安定性を満足し、かつ、白もやの発生を低減し得る水溶性有機化合物について検討を行った。その結果、特許文献３に多価アルコールとして例示されているソルビトールをインクに含有させると、吐出安定性に優れ、かつ、白もやの発生をある程度抑制できることが分かった。そこで、ソルビトールと類似する構造の多価アルコール化合物について検討を行った。その結果、多価アルコール化合物の中でも、ソルビトールと同様に蒸気圧が低い直鎖飽和脂肪族多価アルコールをインクに含有させることにより、これまでに検討した手法の何れよりも白もやの発生を抑制できることが分かった。
【００１７】
本発明者らがインクジェット用のインクに使用可能な多種多様の成分の中から、蒸気圧が低い直鎖飽和脂肪族多価アルコールに着目したのは、以下の理由からである。上述の白もやの発生メカニズムでも記載した通り、白もやの発生は、インク受容層の内部に残留していた液体成分（水や、水溶性有機化合物）の蒸発と深い関わりがある。本発明者らの検討の結果、蒸発しにくい化合物、即ち、蒸気圧が低い化合物を用いると、白もやの発生をある程度抑制する効果が得られることが分かった。これは、蒸気圧が低い化合物を用いることで、一方の記録媒体のインク受容層内部に存在している液体成分の重ね合わされた記録媒体のインク受容層への移動が抑制されるからである、と考えられる。
【００１８】
ここで、化合物の蒸気圧は、その分子の分子間力に大きく影響を受ける。つまり、蒸気圧が低い化合物は、その分子の分子間力が大きい化合物である。この分子間力の大きさを表す指標として、本発明者らは有機概念図に基づく有機性値（ＯＶ）と無機性値（ＩＶ）に注目した。
有機概念図とは、種々の有機化合物について、炭素鎖間の共有結合の影響による「有機性値」と、置換基（官能基）の電気親和力の影響による「無機性値」を算出し、それをＯＶ軸（横軸）とＩＶ軸（縦軸）で作られる直交座標上にプロットしたものである。そして、有機概念図上においては、領域ごとに有機化合物の特性に様々な傾向が見られる。このことを利用して、逆に、ある有機化合物について、その構造から、有機性値及び無機性値をそれぞれ算出し、有機概念図上のどの領域に属するのかを調べることで、その特性を予測することができるものである。構造式から有機性値及び無機性値を算出する方法は以下の通りである。有機性値は、化合物の炭素数に２０をかけた値である。一方、無機性値は、各置換基（官能基）について、固有の無機性値が付与されており、それらの合算値である。例えば、ヒドロキシ基の無機性値は、１００である。各置換基の無機性値に関しては、「有機概念図−基礎と応用−」（甲田善生著、三共出版、１９８４年）に詳しい。そして、化合物の分子間力は、有機性値（ＯＶ）と無機性値（ＩＶ）の合計値と相関する。本発明者らが種々の化合物について検討したところ、有機性値と無機性値の和（ＯＶ＋ＩＶ）が４２０以上である直鎖飽和脂肪族多価アルコールを含有するインクを用いて画像を形成すると、白もやの発生の抑制効果がある程度得られることが分かった。尚、有機概念図論における有機性値と無機性値の和が４２０以上である直鎖飽和脂肪族多価アルコールを、以下「特定の直鎖飽和脂肪族多価アルコール」という。
【００１９】
しかし、前記特定の直鎖飽和脂肪族多価アルコールをインクに含有させることによって、これを使用しない場合と比較すると白もやの発生の抑制効果は大幅に改善されるが、抑制されているとは言えないレベルであった。
そこで、本発明者らは、乾燥工程を有するインクジェット記録方法を用いて、白もやの発生を確認したところ、乾燥工程を有するインクジェット記録方法を用いた場合の方が、乾燥工程を有さない記録方法を用いた場合と比べて、ある程度改善することが分かった。しかし、本発明者らの検討の結果、上記の特許文献１及び２のような乾燥工程を有する従来のインクジェット記録方法においても、白もやは発生してしまい、抑制されているとは言えないレベルであった。また、上記の特許文献３や特許文献４のようなインクを、乾燥工程を有するインクジェット記録方法に用いても、白もやは同様に発生した。
【００２０】
以上の結果を受け、本発明者らは前記特定の直鎖飽和脂肪族多価アルコールを含有するインクを用いて画像を形成した後に、前記画像を形成した記録媒体を乾燥させ、白もやの発生を確認した。その結果、前記特定の直鎖飽和脂肪族多価アルコールを含有しないインクを用いて画像を形成した記録媒体を乾燥させた場合、及び、前記特定の直鎖飽和脂肪族多価アルコールを含有するインクを用いて画像を形成し乾燥を行わなかった場合のそれぞれの結果から予想される程度をはるかに上回る、高いレベルの白もやの発生の抑制効果が得られた。この理由について、本発明者らは次のように推測している。
【００２１】
画像を形成した記録媒体を乾燥させることにより、インク受容層の内部に残留していた液体成分（水や、水溶性有機化合物）の蒸発が促進される。しかし、上述の通り、前記特定の直鎖飽和脂肪族多価アルコールは、蒸発しにくい化合物である。そのため、前記特定の直鎖飽和脂肪族多価アルコールを含有するインクを用いて画像を形成した記録媒体を乾燥させると、インク受容層の内部に残留していた液体成分のうち、前記特定の直鎖飽和脂肪族多価アルコール以外の成分の蒸発が促進される。即ち、水や、水溶性有機化合物の蒸発が促進される。その結果、インク受容層の内部には前記特定の直鎖飽和脂肪族多価アルコールが残存するが、上述の通り、蒸発がしにくい化合物であるため、重ね合わされた記録媒体のインク受容層への移動は起きにくく、白もやの発生は抑制される。このように、本発明の構成によれば、比較的蒸発がし易い成分は乾燥によって取り除かれ、蒸発しにくい成分のみがインク受容層の内部に残留する。そのため、重ね合わされた記録媒体のインク受容層へ移動する成分がごく微量となることで、高いレベルの白もやの発生の抑制効果が得られる。
【００２２】
［インクジェット記録方法］
（１）画像形成工程
本発明のインクジェット記録方法は、インクジェット方式の記録ヘッドからインクを吐出してインク受容層を有する記録媒体に画像を形成する画像形成工程を有する。この画像形成工程で使用するインクは、有機概念図論における有機性値と無機性値の和が４２０以上である直鎖飽和脂肪族多価アルコールを含有することを要する。インクの吐出方式は、インクに熱エネルギーや力学的エネルギーを作用させる方法が挙げられ、本発明においては、熱エネルギーの作用によりインクを吐出する方式を特に好ましく利用することができる。
【００２３】
＜インク＞
（有機概念図論における有機性値と無機性値の和が４２０以上である直鎖飽和脂肪族多価アルコール）
本発明のインクジェット記録方法に用いられるインクは、有機概念図論における有機性値と無機性値の和が４２０以上である直鎖飽和脂肪族多価アルコールを含有する。本発明において、「直鎖飽和」とは、分岐構造や環状構造を有さない直鎖構造であり、更に、二重結合や三重結合を有さないことを意味する。また、「脂肪族多価アルコール」とは、ヒドロキシ基を２個以上有し、かつ、ヒドロキシ基以外の構造は炭素原子と水素原子のみから成る化合物であることを意味する。したがって、アルデヒド基を含むアルドースやケトン基を持つケトースなどの糖類は含まれない。本発明においては、前記特定の直鎖飽和脂肪族多価アルコールは、水溶性であることが好ましい。本発明において、水溶性とは水１００ｇに対する溶解度が５質量％以上のものを意味する。
【００２４】
また、有機概念図論における有機性値と無機性値の和は、上述の通り、（炭素数）×２０＋（官能基固有の無機性値）で算出される。直鎖飽和脂肪族多価アルコールの場合は、ヒドロキシ基の無機性値が１００であることから、（炭素数）×２０＋（ヒドロキシ基の数）×１００で算出することができる。例えば、１，２，６−ヘキサントリオールの場合は、（炭素数：６）×２０＋（ヒドロキシ基の数：３）×１００となり、有機性値と無機性値の和は４２０となる。この算出方法から明らかな通り、ヘキサントリオールであれば、炭素数とヒドロキシ基の数は一定であるから、ヒドロキシ基の置換する炭素の位置は、有機性値と無機性値の和の値に影響しない。即ち、１，２，６−ヘキサントリオール、１，３，６−ヘキサントリオール、１，４，６−ヘキサントリオール、１，２，７−ヘキサントリオール、１，３，７−ヘキサントリオール、１，４，７−ヘキサントリオールは、何れも有機性値と無機性値の和は４２０となる。本発明者らの検討の結果、以上のように計算した有機性値と無機性値の和の値が４２０以上となる直鎖飽和脂肪族多価アルコールであれば、何れも本発明の効果を奏することが分かった。具体的に、有機概念図論における有機性値と無機性値の和が４２０以上である直鎖飽和脂肪族多価アルコールとしては、ヘキサントリオール、ヘプタントリオール、ブタンテトラオール、ペンタンテトラオール、ヘキサンテトラオール、ヘプタンテトラオール、ヘキサンペンタオールなどのアルキルアルコール；キシリトール、ソルビトール、テトリトール、ペンチトール、ヘキシトール、ヘプチトール、オクチトールなどの糖アルコールが挙げられる。これらの中でも、ヘキサントリオール、ヘプタントリオール、キシリトール、ソルビトールから選択される少なくとも１種であることが好ましい。尚、上記の直鎖飽和脂肪族多価アルコールの例示において、ヒドロキシ基の置換する炭素の位置は省略している。
【００２５】
本発明においては、有機概念図論における有機性値と無機性値の和が７４０以下であることが好ましい。更には７２０以下であることがより好ましい。７２０より大きいと、化合物の分子量が大きく、インクの粘度が高くなり、吐出安定性が十分に得られない場合がある。
インク中の前記特定の直鎖飽和脂肪族多価アルコールの含有量（質量％）は、インク全質量を基準として、５．０質量％以上２５．０質量％以下であることが好ましい。５．０質量％未満の場合、前記特定の直鎖飽和脂肪族多価アルコールを含有することによる白もやの発生の抑制効果が十分に得られない場合がある。また、２５．０質量％より大きいと、インクの粘度が高くなり、インクの吐出安定性が十分に得られない場合がある。
【００２６】
（水性媒体）
本発明のインクには、水、又は、前記特定の直鎖飽和脂肪族多価アルコール以外の水溶性有機化合物（以下、「その他の水溶性有機化合物」という）及び水の混合溶媒である水性媒体を用いることができる。尚、「その他の水溶性有機化合物」には、色材及び後述する添加剤は含まないものとする。前記特定の直鎖飽和脂肪族多価アルコールを含む、インク中の全ての水溶性有機化合物の含有量（質量％）は、インク全質量を基準として、２．０質量％以上５０．０質量％以下であることが好ましい。また、その他の水溶性有機化合物のインク全質量を基準とした含有量（質量％）は、前記特定の直鎖飽和脂肪族多価アルコールのインク全質量を基準とした含有量（質量％）に対して、質量比率で０倍より大きく３．０倍以下であることが好ましい。３．０倍より大きいと、前記特定の直鎖飽和脂肪族多価アルコールを含有することによる白もやの発生の抑制効果が十分に得られない場合がある。その他の水溶性有機化合物としては、従来、インクジェット用のインクに一般的に用いられているものを何れも用いることができる。例えば、前記特定の直鎖飽和脂肪族多価アルコール以外のアルコール類、グリコール類、アルキレン基の炭素原子数が２乃至６のアルキレングリコール類、ポリエチレングリコール類、含窒素化合物類、含硫黄化合物類などが挙げられる。これらのその他の水溶性有機化合物は、必要に応じて１種又は２種以上を用いることができる。水は脱イオン水（イオン交換水）を用いることが好ましい。インク中の水の含有量（質量％）は、インク全質量を基準として、５０．０質量％以上９５．０質量％以下であることが好ましい。
【００２７】
（色材）
本発明のインクは、更に色材を含有してもよい。用いられる色材としては、顔料及び染料が挙げられ、従来公知のものを何れも使用することができる。インク中の色材の含有量（質量％）としては、インク全質量を基準として、０．１質量％以上１５．０質量％以下が好ましく、更には０．５質量％以上１０．０質量％以下がより好ましい。
本発明においては、形成した画像の品位を銀塩写真に匹敵する高いレベルとすることが容易に達成されるため、色材として染料を用いることが特に好ましい。スルホン酸基やカルボキシ基などのアニオン性基があることで水溶性を有する染料を用いることが好ましく、具体的には、カラーインデックス（ＣＯＬＯＵＲ  ＩＮＤＥＸ）に記載された、酸性染料、直接染料、反応性染料などが挙げられる。また、カラーインデックスに記載のない染料であっても、スルホン酸基やカルボキシ基などのアニオン性基を少なくとも有する染料であれば、何れのものも使用することができる。
【００２８】
（インクに使用可能な成分）
本発明のインクは、上記の成分以外にも必要に応じて、トリメチロールプロパン、トリメチロールエタンや、尿素、エチレン尿素などの尿素誘導体など、常温で固体の水溶性有機化合物を含有してもよい。尚、トリメチロールプロパン、トリメチロールエタンは、直鎖飽和脂肪族多価アルコールであるが、有機性値と無機性値の和は何れも４２０未満となり、本発明の前記特定の直鎖飽和脂肪族多価アルコールには該当しない。更に、本発明のインクは必要に応じて、界面活性剤、ｐＨ調整剤、防錆剤、防腐剤、防黴剤、酸化防止剤、還元防止剤、蒸発促進剤、キレート化剤、及び樹脂などの種々の添加剤を含有してもよい。
【００２９】
＜記録媒体＞
本発明で使用する記録媒体は、インク受容層を有するものであればよく、光沢ないしは半光沢の性状を有する表面を持つものが好ましい。具体的には、支持体の少なくとも一方の面に、シリカ、アルミナ又はその水和物などの顔料を主体とし、必要に応じてバインダやカチオン性ポリマーなどの添加剤を含んで構成されるインク受容層を有する記録媒体を用いることが好ましい。このような記録媒体は、顔料粒子で構成される多孔質構造の空隙によりインクを吸収するものであり、形成した画像が高品位なものとなるため好適である。
支持体としては、前記インク受容層を形成することが可能であって、かつ、インクジェット記録装置の搬送機構によって搬送可能な剛度を与えるものが好ましく、例えば、パルプや填料を含んで構成される紙などが挙げられる。また、支持体の少なくとも一方の面にポリオレフィンなどの樹脂層を設け、更にその上にインク受容層が形成されている記録媒体であってもよい。更に、支持体の両面にインク受容層を有する記録媒体を用いることもできる。
【００３０】
尚、本発明のインクジェット記録方法に用いる記録媒体は、所望のサイズに予めカットされたものであっても、また、ロール状に巻かれたシートを用い、画像形成後に所望のサイズにカットされるものであってもよい。
【００３１】
（２）乾燥工程
本発明のインクジェット記録方法は、画像を形成した記録媒体を乾燥する工程（乾燥工程）を有する。乾燥工程では記録媒体に付与された水や、水溶性有機化合物などのインク由来の液体成分を十分に蒸発させることができればよく、その方法としては、例えば、温風の吹き付けや、赤外線や紫外線の照射などが挙げられる。本発明においては、乾燥工程を、画像を形成した記録媒体に温度５０℃以上の温風を２秒以上吹き付けることにより行うことが特に好ましい。これにより、インク受容層の内部に残留する液体成分が効率的に蒸発するため、乾燥工程を行った後に記録媒体のインク受容層の内部に残留する水がごく僅かとなるため、白もやの発生をより効果的に抑制することができる。温風の温度の上限は９５℃以下、吹き付ける時間の上限は１０秒以下であることが好ましい。
【００３２】
［インクジェット記録装置］
本発明のインクジェット記録装置は、インクを収容するためのインク収容部、インクェジット方式の記録ヘッドからインクを吐出してインク受容層を有する記録媒体に画像を形成するための画像形成部を有する。更に、前記画像を形成した記録媒体を乾燥させるための手段を有し、前記インク収容部に収容されるインクが上記で説明したものであることを特徴とする。
【００３３】
以下、本発明のインクジェット記録装置の構成を説明する。図２は本発明のインクジェット記録方法を行うためのインクジェット記録装置の全体構成の一例を示す断面図である。記録装置は、記録媒体の搬送方向の上流側から下流側に沿って、給紙部３、画像形成部１、カッタ部４、乾燥部５、インク収容部６、制御部７、排紙部８を備える。給紙部３は、ロール状に巻かれた記録媒体２を回転可能に保持する。画像形成部１は、異なるインク色にそれぞれ対応した複数の記録ヘッド１ａを備える。ここでは、４種のインクに対応した４つの記録ヘッドを備えた形態としているが、インク数はこれには限定されない。各インクはインク収容部６からそれぞれインクチューブ（不図示）を介して記録ヘッド１ａに供給される。複数の記録ヘッド１ａのそれぞれは、使用が想定される記録媒体の最大幅をカバーする範囲で、インクジェット方式のノズル列が形成されたライン型の記録ヘッドである。
【００３４】
画像形成部１には記録ヘッド１ａに対向して記録媒体搬送路が横切っており、記録媒体搬送路に沿って記録媒体を搬送するための搬送機構が設けられている。複数の記録ヘッド１ａ及び搬送機構は筐体１ｂの中の略閉空間に収容されている。カッタ部４は、画像形成部１で画像が形成された、ロール紙状の記録媒体を所定のサイズにカットするためのユニットであり、カッタ機構が設けられている。乾燥部５は、カットされた記録媒体を短時間で乾燥させるためのユニットであり、気体を加熱するヒータと加熱された気体の流れを発生させるファンで構成される温風装置（不図示）、記録媒体の搬送経路に沿って並べられた複数の搬送ローラが設けられている。排紙部８は、乾燥部５から排出されたカット済みの記録媒体を収容するもので、複数の記録媒体が積み重ねられていく。制御部７は、記録装置全体の各種制御や駆動を司るコントローラである。
【００３５】
尚、インクジェット記録装置が設置される周囲の環境によっては、上述の乾燥工程により設定されるような温度の条件になる場合もある。しかし、外部環境の温度は常に変動しているため、定常的に所望の温度条件を満たしているとは限らない。したがって、本発明で設定するような温度条件にするために乾燥工程を行うことは、本発明の効果を安定して得るうえで有効であることに変わりはない。
【実施例】
【００３６】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【００３７】
＜インクの調製＞
下記表１に示す各成分（単位：質量％）を混合し、十分撹拌して溶解させた後、ポアサイズが０．２μｍであるフィルターにて加圧ろ過を行い、各インクを調製した。尚、アセチレノールＥ１００は川研ファインケミカル製のノニオン性界面活性剤である。更に、インクの調製に用いた水溶性有機化合物の、有機概念図論における有機性値と無機性値の和を表２に示した。
【００３８】
【表１】
2012166378.tif 000003
【００３９】
【表２】
2012166378.tif 000004
【００４０】
＜評価＞
本発明においては下記の各評価項目の評価基準において、Ａ及びＢを好ましいレベルとし、Ｃを許容できないレベルとした。
【００４１】
（白もやの抑制）
上記で得られた各インクをインクカートリッジに充填し、図２に示す構成のインクジェット記録装置に装着した。そして、インク受容層を有する記録媒体（商品名：キヤノン写真用紙・光沢  ゴールドＧＬ−１０１；キヤノン製）に、記録デューティを１００％として、図１（Ａ）の２種類の画像ａ及びｂを形成した。比較例１の画像以外は、画像の形成に続いて、表３に示す温度及び時間の条件で、温風を吹き付け、画像を形成した記録媒体を乾燥させた。その後、画像ａ及びｂを温度２３℃、相対湿度５５％の環境に３０分間放置した後、記録面ａ及びｂを重ね合わせ、その上に記録媒体と同等の大きさで面圧１３ｋｇ／ｍ２の錘を載せて、２４時間放置して、評価サンプルを得た。尚、記録条件は、温度：２３℃、相対湿度：５０％、記録密度：２，４００ｄｐｉ×１，２００ｄｐｉ、１滴あたりの吐出量：２．８ｐＬとした。本実施例においては、上記インクジェット記録装置を用いて、解像度６００ｄｐｉ×６００ｄｐｉで１／６００インチ×１／６００インチの単位領域に２．８ｐＬの体積のインクを８滴付与する条件を、記録デューティが１００％であると定義した。
【００４２】
上記で得られた評価サンプルについて、重ね合わせた後の記録媒体ｂの画像領域と非画像領域にそれぞれ対応する位置の記録媒体ａにおける領域をそれぞれ領域１及び２とした。そして、領域１及び２について、分光光度計（Ｓｐｅｃｔｒｏｌｉｎｏ；ＧｒｅｔａｇＭａｃｂｅｔｈ製）を用い、光源：Ｄ５０、視野角：２°の条件にてＬ＊、ａ＊、ｂ＊を測定した。領域１におけるＬ１＊、ａ１＊、ｂ１＊と、領域２におけるＬ２＊、ａ２＊、ｂ２＊から、ΔＥ＝｛（Ｌ１＊−Ｌ２＊）２＋（ａ１＊−ａ２＊）２＋（ｂ１＊−ｂ２＊）２｝１／２の式に基づいて算出したΔＥの値から白もやの抑制の評価を行った。評価基準は以下の通りである。結果を表３に示す。
【００４３】
Ａ：ΔＥ≦０．３であり、目視で白もやは確認できなかった
Ｂ：０．３＜ΔＥ≦０．６であり、目視で白もやは若干であるが確認された
Ｃ：０．６＜ΔＥであり、目視で白もやがはっきり確認された。
【００４４】
（乾燥による白もやの低減率）
比較例１以外の上記評価サンプル（乾燥を行った場合）についてのΔＥの値をΔＥ１、また、乾燥を行わないこと以外は同様にして評価サンプルを作製し、得られた画像についての上記と同様にして算出したΔＥの値をΔＥ２とした。そして、低減率（％）＝（ΔＥ２−ΔＥ１）／ΔＥ２×１００の式に基づいて算出した低減率（％）の値から、乾燥による白もやの低減率の評価を行った。評価基準は以下の通りである。結果を表３に示す。
【００４５】
Ａ：低減率が６０％以上であった
Ｂ：低減率が４０％以上６０％未満であった
Ｃ：低減率が４０％未満であった。
【００４６】
【表３】
2012166378.tif 000005
【００４７】
尚、実施例１、１１、１４及び１５の（白もやの抑制）の評価結果は何れもＡランクであったが、他の同じＡランクの実施例と比較するとやや劣っていた。また、実施例１４及び１５の（乾燥による白もやの低減率）の評価結果は何れもＡランクであったが、他の同じＡランクの実施例と比較するとやや劣っていた。
【００４８】
（インクの吐出安定性）
上記で得られた各インクをインクカートリッジに充填し、図２に示す構成のインクジェット記録装置に装着し、ＧＬ−１０１（キヤノン製）に記録デューティが１００％のベタ画像を１０００枚連続で記録した。その後、上記インクジェット記録装置（ＰＩＸＵＳ  ｉＰ８６００）のノズルチェックパターンを１枚記録した。このときのノズルチェックパターンを目視で観察することにより、インクの吐出安定性を評価した。その結果、実施例５と実施例９において、ノズルチェックパターンの一部に許容できるレベルのヨレが見られたが、その他の実施例については、ヨレはなく、正常に記録されていた。
【図１】
2012166378.tif 000006
【図２】
2012166378.tif 000007